【手続補正書】
【提出日】平成27年11月17日(2015.11.17)
【手続補正１】
【補正対象書類名】特許請求の範囲
【補正対象項目名】全文
【補正方法】変更
【補正の内容】
【特許請求の範囲】
【請求項１】
ウエビングを巻回収納する巻取ドラムと、
前記巻取ドラムが挿通されて回転可能に取り付けられる相対向する一対の側壁部と、該一対の側壁部を連結する少なくとも１つの連結壁部とを有するハウジングと、
前記ハウジングに取り付けられる取付部材と、
を備え、
前記ハウジングは、
前記一対の側壁部及び前記連結壁部のうち少なくとも一つに設けられた取付貫通孔の一方の壁面上の周縁部から縁部に沿って、又は、前記一対の側壁部及び前記連結壁部のうち少なくとも一つにおける一方の壁面上の端縁部から縁部に沿ってリブ状に突出するリブ部と、
前記一方の壁面とは反対側の壁面における前記リブ部の基端部に対して反対側の位置に形成された所定深さ窪む係合凹部と、
を有し、
前記取付部材は、
前記リブ部が嵌入される嵌合凹部と、
前記嵌合凹部に嵌入された前記リブ部の前記縁部側面に当接した状態で該嵌合凹部から所定長さ突出して、先端部が前記係合凹部に係止される係止部と、
を有することを特徴とするシートベルト用リトラクタ。
【請求項２】
前記リブ部は、前記取付貫通孔の前記一方の壁面上の周縁部の全周に渡って立設され、
前記係合凹部は、前記取付貫通孔における前記リブ部に対して反対方向の周縁部に、前記リブ部の基端部の反対側に位置するように全周に渡って形成されていることを特徴とする請求項１に記載のシートベルト用リトラクタ。
【請求項３】
前記係止部は、
前記嵌合凹部の底面部の中央部に形成されたピン挿入孔と、
前記ピン挿入孔の周縁部に所定の間隔で立設されて、前記リブ部が前記嵌合凹部に嵌入された状態で、前記リブ部内に嵌入される複数の係止片と、
前記複数の係止片の間に前記ピン挿入孔を介して圧入された状態で、前記複数の係止片の先端部を前記係合凹部に係止する圧入ピンと、
を有することを特徴とする請求項２に記載のシートベルト用リトラクタ。
【請求項４】
前記係止部は、
前記嵌合凹部の底面部の略中央部に形成されたピン挿入孔と、
前記ピン挿入孔の周縁部の一部分に立設されて、前記リブ部が前記嵌合凹部に嵌入された状態で、前記リブ部内に嵌入される係止片と、
前記係止片と前記リブ部との間に前記ピン挿入孔を介して圧入された状態で、前記係止片の先端部を前記係合凹部に係止する圧入ピンと、
を有することを特徴とする請求項２に記載のシートベルト用リトラクタ。
【請求項５】
前記リブ部は、前記取付貫通孔の前記一方の壁面上の周縁部の一部分に立設され、
前記係合凹部は、前記取付貫通孔における前記リブ部に対して反対方向の周縁部に、前記リブ部の基端部の反対側に位置するように形成され、
前記係止部は、
前記嵌合凹部の底面部に形成されたピン挿入孔と、
前記ピン挿入孔の周縁部に、前記リブ部が前記嵌合凹部に嵌入された状態で、前記リブ部の内側に当接するように立設された係止片と、
前記係止片と前記取付貫通孔の前記リブ部に対向する周縁部との間に前記ピン挿入孔を介して圧入された状態で、前記係止片の先端部を前記係合凹部に係止する圧入ピンと、
を有することを特徴とする請求項１に記載のシートベルト用リトラクタ。
【請求項６】
前記リブ部は、前記一方の壁面上の端縁部から縁部に沿って所定幅で立設され、
前記係合凹部は、前記端縁部の前記リブ部の基端部に対して反対方向の縁部に沿って該リブ部の反対側に位置するように形成され、
前記係止部は、
前記嵌合凹部の端縁部から前記リブ部とほぼ同じ所定幅で前記リブ部に沿って所定長さ突出した係止片と、
前記係止片の先端部に前記係合凹部側に突出するように形成されており、前記リブ部が前記嵌合凹部に嵌入された状態で前記係合凹部に係止される突起部と、
を有することを特徴とする請求項１に記載のシートベルト用リトラクタ。
【請求項７】
前記リブ部は、前記一方の壁面から前記巻取ドラムに対して外側方向へ立設されていることを特徴とする請求項１乃至請求項６のいずれかに記載のシートベルト用リトラクタ。
【請求項８】
前記リブ部は、前記一方の壁面から前記巻取ドラムに対して内側方向へ立設されていることを特徴とする請求項１又は請求項６に記載のシートベルト用リトラクタ。
【請求項９】
前記リブ部の前記一方の壁面からの突出高さは、前記係合凹部の前記一方の壁面とは反対側の壁面からの窪み深さよりも大きいことを特徴とする請求項１乃至請求項８のいずれかに記載のシートベルト用リトラクタ。
【請求項１０】
前記係止部は、弾性変形を伴って先端部が前記係合凹部に係止されることを特徴とする請求項１乃至請求項９のいずれかに記載のシートベルト用リトラクタ。
【請求項１１】
前記取付部材は、樹脂成形品であることを特徴とする請求項１乃至請求項１０のいずれかに記載のシートベルト用リトラクタ。
【手続補正２】
【補正対象書類名】明細書
【補正対象項目名】０００９
【補正方法】変更
【補正の内容】
【０００９】
前記目的を達成するため請求項１に係るシートベルト用リトラクタは、ウエビングを巻回収納する巻取ドラムと、前記巻取ドラムが挿通されて回転可能に取り付けられる相対向する一対の側壁部と、該一対の側壁部を連結する少なくとも１つの連結壁部とを有するハウジングと、前記ハウジングに取り付けられる取付部材と、を備え、前記ハウジングは、前記一対の側壁部及び前記連結壁部のうち少なくとも一つに設けられた取付貫通孔の一方の壁面上の周縁部から縁部に沿って、又は、前記一対の側壁部及び前記連結壁部のうち少なくとも一つにおける一方の壁面上の端縁部から縁部に沿ってリブ状に突出するリブ部と、前記一方の壁面とは反対側の壁面における前記リブ部の基端部に対して反対側の位置に形成された所定深さ窪む係合凹部と、を有し、前記取付部材は、前記リブ部が嵌入される嵌合凹部と、前記嵌合凹部に嵌入された前記リブ部の前記縁部側面に当接した状態で該嵌合凹部から所定長さ突出して、先端部が前記係合凹部に係止される係止部と、を有することを特徴とする。
【手続補正３】
【補正対象書類名】明細書
【補正対象項目名】００１０
【補正方法】変更
【補正の内容】
【００１０】
また、請求項２に係るシートベルト用リトラクタは、請求項１に記載のシートベルト用リトラクタにおいて、前記リブ部は、前記取付貫通孔の前記一方の壁面上の周縁部の全周に渡って立設され、前記係合凹部は、前記取付貫通孔における前記リブ部に対して反対方向の周縁部に、前記リブ部の基端部の反対側に位置するように全周に渡って形成されていることを特徴とする。
【手続補正４】
【補正対象書類名】明細書
【補正対象項目名】００１１
【補正方法】変更
【補正の内容】
【００１１】
また、請求項３に係るシートベルト用リトラクタは、請求項２に記載のシートベルト用リトラクタにおいて、前記係止部は、前記嵌合凹部の底面部の中央部に形成されたピン挿入孔と、前記ピン挿入孔の周縁部に所定の間隔で立設されて、前記リブ部が前記嵌合凹部に嵌入された状態で、前記リブ部内に嵌入される複数の係止片と、前記複数の係止片の間に前記ピン挿入孔を介して圧入された状態で、前記複数の係止片の先端部を前記係合凹部に係止する圧入ピンと、を有することを特徴とする。
【手続補正５】
【補正対象書類名】明細書
【補正対象項目名】００１２
【補正方法】変更
【補正の内容】
【００１２】
また、請求項４に係るシートベルト用リトラクタは、請求項２に記載のシートベルト用リトラクタにおいて、前記係止部は、前記嵌合凹部の底面部の略中央部に形成されたピン挿入孔と、前記ピン挿入孔の周縁部の一部分に立設されて、前記リブ部が前記嵌合凹部に嵌入された状態で、前記リブ部内に嵌入される係止片と、前記係止片と前記リブ部との間に前記ピン挿入孔を介して圧入された状態で、前記係止片の先端部を前記係合凹部に係止する圧入ピンと、を有することを特徴とする。
【手続補正６】
【補正対象書類名】明細書
【補正対象項目名】００１３
【補正方法】変更
【補正の内容】
【００１３】
また、請求項５に係るシートベルト用リトラクタは、請求項１に記載のシートベルト用リトラクタにおいて、前記リブ部は、前記取付貫通孔の前記一方の壁面上の周縁部の一部分に立設され、前記係合凹部は、前記取付貫通孔における前記リブ部に対して反対方向の周縁部に、前記リブ部の基端部の反対側に位置するように形成され、前記係止部は、前記嵌合凹部の底面部に形成されたピン挿入孔と、前記ピン挿入孔の周縁部に、前記リブ部が前記嵌合凹部に嵌入された状態で、前記リブ部の内側に当接するように立設された係止片と、前記係止片と前記取付貫通孔の前記リブ部に対向する周縁部との間に前記ピン挿入孔を介して圧入された状態で、前記係止片の先端部を前記係合凹部に係止する圧入ピンと、を有することを特徴とする。
【手続補正７】
【補正対象書類名】明細書
【補正対象項目名】００１４
【補正方法】変更
【補正の内容】
【００１４】
また、請求項６に係るシートベルト用リトラクタは、請求項１に記載のシートベルト用リトラクタにおいて、前記リブ部は、前記一方の壁面上の端縁部から縁部に沿って所定幅で立設され、前記係合凹部は、前記端縁部の前記リブ部の基端部に対して反対方向の縁部に沿って該リブ部の反対側に位置するように形成され、前記係止部は、前記嵌合凹部の端縁部から前記リブ部とほぼ同じ所定幅で前記リブ部に沿って所定長さ突出した係止片と、前記係止片の先端部に前記係合凹部側に突出するように形成されており、前記リブ部が前記嵌合凹部に嵌入された状態で前記係合凹部に係止される突起部と、を有することを特徴とする。
【手続補正８】
【補正対象書類名】明細書
【補正対象項目名】００１５
【補正方法】変更
【補正の内容】
【００１５】
また、請求項７に係るシートベルト用リトラクタは、請求項１乃至請求項６のいずれかに記載のシートベルト用リトラクタにおいて、前記リブ部は、前記一方の壁面から前記巻取ドラムに対して外側方向へ立設されていることを特徴とする。
【手続補正９】
【補正対象書類名】明細書
【補正対象項目名】００１６
【補正方法】変更
【補正の内容】
【００１６】
また、請求項８に係るシートベルト用リトラクタは、請求項１又は請求項６に記載のシートベルト用リトラクタにおいて、前記リブ部は、前記一方の壁面から前記巻取ドラムに対して内側方向へ立設されていることを特徴とする。
【手続補正１０】
【補正対象書類名】明細書
【補正対象項目名】００１７
【補正方法】変更
【補正の内容】
【００１７】
また、請求項９に係るシートベルト用リトラクタは、請求項１乃至請求項８のいずれかに記載のシートベルト用リトラクタにおいて、前記リブ部の前記一方の壁面からの突出高さは、前記係合凹部の前記一方の壁面とは反対側の壁面からの窪み深さよりも大きいことを特徴とする。
【手続補正１１】
【補正対象書類名】明細書
【補正対象項目名】００２０
【補正方法】変更
【補正の内容】
【００２０】
請求項１に係るシートベルト用リトラクタでは、ハウジングの一対の側壁部及び連結壁部のうち少なくとも一つに設けられた取付貫通孔の一方の壁面上の周縁部から縁部に沿って、又は、一対の側壁部及び連結壁部のうち少なくとも一つにおける一方の壁面上の端縁部から縁部に沿ってリブ状に突出するリブ部が設けられている。また、一方の壁面とは反対側の壁面におけるリブ部の基端部に対して反対側の位置には、所定深さ窪む係合凹部が設けられている。そして、このリブ部が、取付部材の嵌合凹部に嵌入された場合には、取付部材の係止部は、リブ部の縁部側面に当接した状態で、先端部がリブ部の基端部に対して反対側の位置に形成された所定深さ窪む係合凹部に係止される。
【手続補正１２】
【補正対象書類名】明細書
【補正対象項目名】００２１
【補正方法】変更
【補正の内容】
【００２１】
これにより、取付部材の係止部は、リブ部の縁部側面に当接しつつ、先端部が係合凹部に係止されるため、一方の壁面とは反対側の壁面から突出する係止部の突出量を短くしても、係止部とリブ部との掛かり代を確保しつつ、係止部の先端部が係合凹部の底面部から突出する突出量を確保することができる。従って、ハウジングの板厚の薄型化、軽量化を行うことができると共に、取付部材のハウジングへの取付強度を容易に確保することができる。
【手続補正１３】
【補正対象書類名】明細書
【補正対象項目名】００２２
【補正方法】変更
【補正の内容】
【００２２】
また、一方の壁面とは反対側の壁面から突出する係止部の突出量を短くして、係止部の先端部と巻取ドラムに巻回されるウエビングとの干渉を避けることができるため、ハウジングの一対の側壁部間の距離を短くすることが可能となり、ハウジングの小型化、軽量化、引いてはシートベルト用リトラクタの小型化、軽量化を図ることができる。また、一対の側壁部及び連結壁部のうち少なくとも一つに設けられた取付貫通孔の一方の壁面上の周縁部から縁部に沿って、又は、一対の側壁部及び連結壁部のうち少なくとも一つにおける一方の壁面上の端縁部から縁部に沿って立設されたリブ部が、取付部材の嵌合凹部に嵌入されるため、一方の壁面に沿った方向における、取付部材のハウジングへの取付強度を容易に確保することができる。
【手続補正１４】
【補正対象書類名】明細書
【補正対象項目名】００２３
【補正方法】変更
【補正の内容】
【００２３】
また、請求項２に係るシートベルト用リトラクタでは、取付部材をハウジングに取り付けた場合には、取付貫通孔の一方の壁面上の周縁部の全周に渡って立設されたリブ部が、取付部材の嵌合凹部に嵌入されるため、一方の壁面に沿った全方向における、取付部材のハウジングへの取付強度を容易に確保することができる。また、係合凹部は、取付貫通孔の一方の壁面上の周縁部の全周に渡って形成されているため、係止部の先端部を係合凹部に確実に係止することができ、一方の壁面に対して垂直方向における、取付部材のハウジングへの取付強度を容易に確保することができる。
【手続補正１５】
【補正対象書類名】明細書
【補正対象項目名】００２４
【補正方法】変更
【補正の内容】
【００２４】
また、請求項３に係るシートベルト用リトラクタでは、ピン挿入孔の周縁部に所定の間隔で立設された複数の係止片の間に圧入ピンを圧入することによって、該複数の係止片をリブ部と取付貫通孔の内側面に押し付けた状態で、各係止片の先端部を係合凹部に係止することができる。これにより、圧入ピンを介して各係止片を取付貫通孔に強固に取り付けることができ、取付部材のハウジングへの取付強度を容易に確保することができる。また、複数の係止片が、圧入ピンによって、リブ部と取付貫通孔の内側面の複数の半径方向へ押し付けられるため、一方の壁面に対して垂直方向における、取付部材のハウジングへの取付強度を容易に確保することができる。
【手続補正１６】
【補正対象書類名】明細書
【補正対象項目名】００２５
【補正方法】変更
【補正の内容】
【００２５】
また、請求項４に係るシートベルト用リトラクタでは、圧入ピンを圧入することによって、ピン挿入孔の周縁部の一部分に立設された係止片と圧入ピンとをリブ部と取付貫通孔の内側面に押し付けた状態で、係止片の先端部を係合凹部に係止することができる。これにより、圧入ピンを介して係止片を取付貫通孔に強固に取り付けることができ、取付部材のハウジングへの取付強度を容易に確保することができる。
【手続補正１７】
【補正対象書類名】明細書
【補正対象項目名】００２６
【補正方法】変更
【補正の内容】
【００２６】
また、係止片が、圧入ピンによって、リブ部と取付貫通孔の内側面に押し付けられるため、一方の壁面に対して垂直方向における、取付部材のハウジングへの取付強度を容易に確保することができる。また、係止片をピン挿入孔の周縁部の一部分に立設することによって、係止部の構造を簡略化することができる。また、係止片の一方の壁面とは反対側の壁面から突出する突出部分を小さくでき、係止片の先端部と巻取ドラムに巻回されるウエビングとの干渉を容易に避けることができ、ハウジングの小型化、軽量化、引いてはシートベルト用リトラクタの小型化、軽量化を図ることができる。
【手続補正１８】
【補正対象書類名】明細書
【補正対象項目名】００２７
【補正方法】変更
【補正の内容】
【００２７】
また、請求項５に係るシートベルト用リトラクタでは、リブ部は、取付貫通孔の周縁部の一部分に立設されているため、スペースや加工の都合上、リブ部を取付貫通孔の周縁部の全周に設けることができない場合でも、取付部材のハウジングへの取付強度を容易に確保することができる。また、圧入ピンを圧入することによって、圧入ピンを取付貫通孔及びピン挿入孔の内側面に押し付けると共に、ピン挿入孔の周縁部に立設された係止片をリブ部と取付貫通孔の内側面に押し付けた状態で、係止片の先端部を係合凹部に係止することができる。これにより、圧入ピンを介して係止片を取付貫通孔に強固に取り付けることができ、取付部材のハウジングへの取付強度を容易に確保することができる。
【手続補正１９】
【補正対象書類名】明細書
【補正対象項目名】００２８
【補正方法】変更
【補正の内容】
【００２８】
また、係止片が、圧入ピンによって、リブ部と取付貫通孔の内側面に押し付けられるため、一方の壁面に対して垂直方向における、取付部材のハウジングへの取付強度を容易に確保することができる。また、係止片をピン挿入孔の周縁部に立設することによって、係止部の構造を簡略化することができる。また、係止片の一方の壁面とは反対側の壁面から突出する突出部分を小さくでき、係止片の先端部と巻取ドラムに巻回されるウエビングとの干渉を容易に避けることができ、ハウジングの小型化、軽量化、引いてはシートベルト用リトラクタの小型化、軽量化を図ることができる。
【手続補正２０】
【補正対象書類名】明細書
【補正対象項目名】００２９
【補正方法】変更
【補正の内容】
【００２９】
また、請求項６に係るシートベルト用リトラクタでは、リブ部を一方の壁面上の端縁部から縁部に沿って設けた場合でも、取付部材をハウジングに取り付けた際には、リブ部が取付部材の嵌合凹部に嵌入されるため、取付部材の一方の壁面に沿った方向への取付強度を容易に確保することができる。
【手続補正２１】
【補正対象書類名】明細書
【補正対象項目名】００３０
【補正方法】変更
【補正の内容】
【００３０】
また、係合凹部は、リブ部の基端部に対して反対方向の縁部に沿って形成されているため、係止片の先端部に形成された突起部を係合凹部に確実に係止することができ、一方の壁面に対して垂直方向における、取付部材のハウジングへの取付強度を容易に確保することができる。また、係止片の先端部に形成された突起部が所定深さ窪む係合凹部に係止されるため、取付部材の保持強度を確保しつつ、ハウジングの板厚の薄型化、引いてはシートベルト用リトラクタの軽量化を図ることが可能となる。
【手続補正２２】
【補正対象書類名】明細書
【補正対象項目名】００３１
【補正方法】変更
【補正の内容】
【００３１】
また、請求項７に係るシートベルト用リトラクタでは、リブ部は、一方の壁面から巻取ドラムに対して外側方向へ立設されているため、係止部の先端部の巻取ドラム側への突出量を低減することができる。これにより、係止片の先端部と巻取ドラムに巻回されるウエビングとの干渉を容易に避けることができ、ハウジングの小型化、軽量化、引いてはシートベルト用リトラクタの小型化、軽量化を図ることができる。
【手続補正２３】
【補正対象書類名】明細書
【補正対象項目名】００３２
【補正方法】変更
【補正の内容】
【００３２】
また、請求項８に係るシートベルト用リトラクタでは、リブ部は、一方の壁面から巻取ドラムに対して内側方向へ立設されているため、係止部の先端部の巻取ドラムに対して外側方向へ突出する突出量を低減することができる。これにより、シートベルト用リトラクタの小型化を図ることができると共に、シートベルト用リトラクタの車両への取り付けスペースを容易に確保することができる。
【手続補正２４】
【補正対象書類名】明細書
【補正対象項目名】００３３
【補正方法】変更
【補正の内容】
【００３３】
また、請求項９に係るシートベルト用リトラクタでは、リブ部の一方の壁面からの突出高さは、係合凹部の一方の壁面とは反対側の壁面からの窪み深さよりも大きいため、係止部とリブ部との該一方の壁面に対して垂直方向における掛かり代を、ハウジングの板厚以上に確保することができる。これにより、ハウジングの板厚を薄くしても、取付部材のハウジングへの取付強度を確保することができ、ハウジングの軽量化を容易に図ることができる。
【手続補正２５】
【補正対象書類名】明細書
【補正対象項目名】００３４
【補正方法】変更
【補正の内容】
【００３４】
また、請求項１０に係るシートベルト用リトラクタでは、係止部は、弾性変形を伴って先端部が係合凹部に係止されるため、取付部材をハウジングに容易に取り付けることができ、取付部材のハウジングへの取付強度を確保しつつ、取付部材をハウジングに取り付ける取付作業の効率化を図ることができる。